(57)【要約】【課題】偏向ヨークの温度変化によるコンバーゼンスおよび歪の変化を高精度に補正し、高品質な画面特性を実現する。【解決手段】主偏向コイル１と、回路基板２と、歪補正マグネット３ａ，３ｂと、温度センサー４と、温度センサーリード線５と、温度線センサーコネクタ６と、磁界調整コイル７と、磁界調整コイルリード線８と、磁界調整コイルコネクタ９とを備え、温度センサー４によって検知された温度に応じて、磁界調整コイル７でダイナミックコンバーゼンス補正磁界を発生する。【選択図】        図１
2004241335.tif 000002
【特許請求の範囲】
【請求項１】
陰極線管に使用される偏向ヨークにおいて、
ダイナミックコンバーゼンス補正のためのコイルであって主偏向コイルとは電気的に分離された磁界調整コイルと、
上記主偏向コイルとは電気的に分離された１つ以上の温度センサーと
を備え、
上記温度センサーによって検知された温度に応じて、上記磁界調整コイルが調整磁界を発生する
ことを特徴とする偏向ヨーク。
【請求項２】
上記磁界調整コイルは、２極構造、４極構造、６極構造の内のいずれか１つの極構造、または上記３つの極構造のいずれか２つの組み合わせ、あるいは上記３つの極構造の組み合わせによって構成されていることを特徴とする請求項１記載の偏向ヨーク。
【請求項３】
上記温度センサーの内の１つが、偏向ヨークを構成する回路基板上に設けられていることを特徴とする請求項１記載の偏向ヨーク。
【請求項４】
上記温度センサーの内の１つ以上が、偏向ヨークを構成するマグネットの近傍に設けられていることを特徴とする請求項１記載の特徴とする偏向ヨーク。
【請求項５】
偏向ヨークを構成する回路基板上に１つのコネクタ端子が設けられており、
全ての上記温度センサーおよび上記磁界調整コイルが、上記１つのコネクタ端子に接続されている
ことを特徴とする請求項１記載の偏向ヨーク。
【請求項６】
上記磁界調整コイルの一部または全部が、サブコイルとして構成されていることを特徴とする請求項１から請求項５のいずれかに記載の偏向ヨーク。
【発明の詳細な説明】
【０００１】
【発明の属する技術分野】
本発明は、陰極線管に使用される偏向ヨークに関するものである。
【０００２】
【従来の技術】
従来の偏向ヨークでは、コンバーゼンス補正のための補助コイルおよびコンバーゼンス補正回路で構成された補正回路部が、水平偏向コイルおよび垂直偏向コイルで構成された主偏向コイルに直列に接続されている。そして、上記コンバーゼンス補正回路では、ダイオードを用いて補助コイルに流れる電流量をスイッチングしている。しかし、ダイオードは、温度が上昇すると順方向電圧が下がり、出力電流が増加する特性を有しているため、偏向ヨークの温度上昇に伴って補助コイルに流れる電流が変化し、コンバーゼンスが変化してしまうという問題が発生する。
【０００３】
このような温度変化による補正回路部の電流変化を補償するために、従来の偏向ヨークでは、コンバーゼンス補正回路の一部と並列や直列に温度可変抵抗手段を設けている（例えば、特許文献１参照）。
【０００４】
また、従来の偏向ヨークは、上下方向のラスター歪を補正するためにフェライトマグネットなどの歪補正マグネットを設けている。しかし、フェライトマグネットの発生磁束量は、温度に対して負の係数を有しているため、温度の上昇とともに磁束が弱まり、ラスター歪およびコンバーゼンスが変化してしまうという問題が発生する。
【０００５】
このような温度変化による歪補正マグネットの磁束変化を補償するために、従来の偏向ヨークでは、透磁率が温度とともに変化する整磁合金やソフトフェライトを歪補正マグネットに隣接して配置している（例えば、特許文献２参照）。
【０００６】
【特許文献１】
特開２００１−５２６３１号公報（図１）
【特許文献２】
特開平１０−２２３１５６号公報（図１，図３）
【０００７】
【発明が解決しようとする課題】
しかしながら、補正回路部の温度変化によるコンバーゼンス変化を温度可変抵抗で補償する上記従来の偏向ヨークでは、現実的には温度可変抵抗の温度カーブおよび抵抗値は自由に選択できるわけではなく、段階的な値の中から選択する必要があるため、コンバーゼンス変化を補正するために必要な抵抗値変化を完全に実現することが困難となり、その結果、温度変化によるコンバーゼンスの変化が残ってしまうというケースが発生していた。
【０００８】
また、マグネット部の温度変化による歪変化およびコンバーゼンス変化を整磁合金やソフトフェライトで補償する上記従来の偏向ヨークでは、フェライトマグネットの温度依存特性と整磁合金などの温度依存特性が完全に一致していないために、歪およびコンバーゼンスの変化が残ってしまうというケースが発生していた。
【０００９】
本発明は、このような従来の課題を解消するためになされたものであり、偏向ヨークの温度変化によるコンバーゼンスおよび歪の変化を高精度に補正し、高品質な画面特性を実現することを目的とするものである。
【００１０】
【課題を解決するための手段】
本発明の偏向ヨークは、
ダイナミックコンバーゼンス補正のためのコイルであって主偏向コイルとは電気的に分離された磁界調整コイルと、
上記主偏向コイルとは電気的に分離された１つ以上の温度センサーと
を備え、
上記温度センサーによって検知された温度に応じて、上記磁界調整コイルが調整磁界を発生する
ことを特徴とするものである。
【００１１】
【発明の実施の形態】
実施の形態１．
図１は本発明の実施の形態１の偏向ヨークの構成を示す斜視図である。この実施の形態１の偏向ヨークは、主偏向コイル１と、回路基板２と、歪補正マグネット（フェライトマグネット）３ａ，３ｂと、温度センサー４と、温度センサーリード線５と、温度線センサーコネクタ６と、磁界調整コイル７と、磁界調整コイルリード線８と、磁界調整コイルコネクタ９とを備えている。
【００１２】
また、実施の形態１の偏向ヨークには、水平偏向コイルおよび垂直偏向コイルで構成された主偏向コイル、ならびにコンバーゼンス補正のための補助コイルおよびコンバーゼンス補正回路で構成された補正回路部が設けられている。コンバーゼンス補正回路は、回路基板２に設けられている。
【００１３】
カラー陰極線管においては、補助コイルおよびコンバーゼンス補正回路を偏向ヨークに設けてミスコンバーゼンスを補正する他に、さらに高精細なコンバーゼンスを実現するためにダイナミックコンバーゼンス補正回路を設けることがある。
【００１４】
このダイナミックコンバーゼンス補正回路は、偏向ヨークおよび偏向ヨークを駆動する電源とは別に設けられており、画面位置に応じて偏向ヨークに設けられた補助コイルを駆動して、部分的なミスコンバーゼンスを補正する回路である。
【００１５】
この実施の形態１の偏向ヨークでは、温度センサー４および磁界調整コイル７を偏向ヨークとは別に設けられたダイナミックコンバーゼンス補正回路に接続し、温度センサー４で検知された温度に応じてダイナミックコンバーゼンス補正回路によって磁界調整コイル７を駆動して、温度変化によるコンバーゼンスおよび歪の変化を補正する。
【００１６】
図２は本発明の実施の形態１のダイナミックコンバーゼンス補正回路の構成図であり、図１と同じものには同じ符号を付してある。図２において、ダイナミックコンバーゼンス補正回路１０は、メモリ１１と、Ａ／Ｄコンバータ１２と、ＣＰＵ１３と、Ｄ／Ａコンバータ１４と、駆動回路１５とを備えている。
【００１７】
図１および図２に示すように、偏向ヨークの回路基板２に設けられた温度センサー４は、温度センサーリード線５および温度線センサーコネクタ６によってダイナミックコンバーゼンス補正回路１０に接続されている。また、偏向ヨークに設けられた磁界調整コイル７も、磁界調整コイルリード線８および磁界調整コイルコネクタ９によってダイナミックコンバーゼンス補正回路１０に接続されている。
【００１８】
偏向ヨークに設けた温度センサー４は、主偏向コイルおよび補正回路部とは電気的に分離されており、偏向ヨークの温度を検出し、その検出温度情報をダイナミックコンバーゼンス補正回路１０のＡ／Ｄコンバータ１２に出力する。なお、図１では、温度センサー４は回路基板２上に設けられている。
【００１９】
偏向ヨークに設けた磁界調整コイル７は、主偏向コイルおよび補正回路部とは電気的に分離されており、ダイナミックコンバーゼンス補正回路１０の駆動回路１５によって駆動される。なお、図１および図２では、磁界調整コイル７は、発生する極磁界（２極磁界、４極磁界、６極磁界など）が異なる複数の極構造のそれぞれについて複数設けられているが、ダイナミックコンバーゼンス補正回路１０のＤ／Ａコンバータ１４および駆動回路１５は、磁界調整コイル７の極構造数と同じ数設けられており、それぞれの極構造の磁界調整コイル７は、個別の駆動回路１５によって駆動される。
【００２０】
実施の形態１の偏向ヨークおよびダイナミックコンバーゼンス補正回路１０の動作について以下に説明する。
【００２１】
メモリ１１には、いくつかの温度条件下で求められた画面各点でのコンバーゼンスの補正必要量や温度センサーの基準値などのパラメーターテーブルが、あらかじめ書き込まれている。
【００２２】
また、偏向ヨークに設けられた温度センサー４からは、検出された偏向ヨークの温度変化が例えば電圧変化としてＡ／Ｄコンバータ１２に入力され、この検出温度情報はＡ／Ｄコンバータ１２を介してＣＰＵ１３に入力される。
【００２３】
ＣＰＵ１３は、メモリ１１のパラメーターテーブルの情報および温度センサー４からの検出温度情報を用いて、所定のソフトウェアによって演算処理を実施し、補正に必要な電流値を算出する。そして、算出した電流値をもとに、Ｄ／Ａコンバータ１４および駆動回路１５によって、偏向ヨークに設けられた磁界調整コイル７に電流を供給する。
【００２４】
つまり、この実施の形態１では、偏向ヨークの温度変化に対するコンバーゼンスおよび歪の変化のデータを画面上のいくつかの点についてあらかじめ求めてメモリ１１に書き込んでおき、偏向ヨークの駆動時において、偏向ヨークに設けられた温度センサー４から得られた温度情報とメモリ１１に書き込まれたデータとより、磁界調整コイル７に適切な電流を流す（適切な電圧を印加する）ことによって、温度変化による画面各点でのコンバーゼンスおよび歪の変化を補正する。
【００２５】
このように、実施の形態１では、偏向ヨークに設けた温度センサー４によって偏向ヨークの温度を検知し、その検知温度に応じて、偏向ヨークに設けた磁界調整コイル７に適切な電流を流して（または適切な電圧を印加して）、温度変化による特性変化を補正するので、従来の温度可変抵抗や整磁合金などによる補正よりも高精度な補正が可能となる。
【００２６】
以上のように実施の形態１によれば、主偏向コイルとは電気的に分離された温度センサー４および磁界調整コイル７とを設け、温度センサー４で検知された温度に応じて磁界調整コイル７でダイナミックコンバーゼンス補正磁界（調整磁界）を発生することにより、温度変化によるコンバーゼンスおよび歪の変化を高精度に補正でき、高品質な画面特性を実現できる。
【００２７】
実施の形態２．
図３は本発明の実施の形態２の偏向ヨークにおいての磁界調整コイルの構成および動作を説明する図であり、図１または図２と同じものには同じ符号を付してある。
【００２８】
ダイナミックコンバーゼンス補正のために偏向ヨークに設けられる磁界調整コイル７は、図３（ａ）の２極磁界を発生する２極構造と、図３（ｂ）の４極磁界を発生させる４極構造と、図３（ｃ）の６極磁界を発生する６極構造の内、必要な構造の組み合わせによって構成されている。
【００２９】
そして、磁界調整コイル７は、上下歪を調整するには図３（ａ）の２極磁界を構成し、サイドビームのコンバーゼンスを調整するには図３（ｂ）の４極磁界を構成し、センタービームとサイドビームとのコンバーゼンスを調整するには図３（ｃ）の６極磁界を構成する。
【００３０】
２極構造、４極構造、および６極構造の全てを備えた磁界調整コイル７を偏向ヨークに設けることは勿論可能であるが、必ずしも上記３つの構造のコイルを全て設ける必要はなく、その偏向ヨークにおいての温度変化による特性変化と所望する性能に応じて、必要な極構造のみを組み合わせた磁界調整コイル７を偏向ヨークに設けることが可能である。
【００３１】
例えば、偏向ヨークの歪補正マグネット３ａ，３ｂ（図１参照）が小さなサイズの場合には、温度変化による磁束変化は小さくなるため、歪の変化は微小となる。よって、この場合には、磁界調整コイル７として２極構造を設ける必要はない。
【００３２】
なお、図３では、ビームを垂直方向に動かす例で説明したが、水平方向に動かす必要がある場合には、磁界を９０度回転するように配置および構成することも可能である。
【００３３】
以上のように実施の形態２によれば、磁界調整コイル７を、２極構造、４極構造、６極構造の内の必要な構造の組み合わせで構成したことにより、コンバーゼンスおよび歪について自由度の高い補正を実現できる。
【００３４】
実施の形態３．
図４は本発明の実施の形態３の偏向ヨークの補正回路が構成された基板の概略図であり、図１と同じものには同じ符号を付してある。
【００３５】
図４の回路基板２上には温度サンサー４が設けられている。この温度サンサー４は、回路基板２に形成された銅箔パターン１６によって温度センサーリード線５に接続され、温度センサーリード線５および温度センサーコネクタ６によって図２のダイナミックコンバーゼンス補正回路１０に接続される。
【００３６】
この回路基板２上に設けられた温度サンサー４は、偏向ヨークの補正回路部の温度を高精度に検知することができる。なお、温度センサー４は、回路基板２に設けられたコンバーゼンス補正回路（図２のダイナミックコンバーゼンス補正回路１０とは異なる）とは電気的に接続されていない。
【００３７】
以上のように実施の形態３によれば、温度センサー４を偏向ヨークの回路基板２に設けたことにより、偏向ヨークの補正回路部の温度を高精度に検知できるので、温度変化によるコンバーゼンスおよび歪の変化を高精度に補正でき、高品質な画面特性を実現できる。
【００３８】
実施の形態４．
図５は本発明の実施の形態４の偏向ヨークにおいての開口部側の構成を示す斜視図であり、図１と同じものには同じ符号を付してある。
【００３９】
図５において、偏向ヨークの開口部側には、歪補正マグネット３ａ，３ｂが設置されており、上側の歪補正マグネット３ａの近傍には温度センサー４ａが、下側の歪補正マグネット３ｂの近傍には温度センサー４ｂが、それぞれ設けられている。
【００４０】
これら歪補正マグネット３ａ，３ｂの近傍に設けられた温度センサー４ａ，４ｂは、偏向ヨークのマグネット部の温度を高精度に検知することができる。
【００４１】
なお、図５では、上側および下側それぞれの歪補正マグネットに温度センサーを１個ずつ設けているが、その個数は図５の例に限定されるものではなく、特性変化量および所望する性能によって必要個数を設けることが可能である。
【００４２】
また、上側の歪補正マグネット３ａと下側の歪補正マグネット３ｂとで温度に差がない場合などには、上側の温度センサー４ａと下側の温度センサー４ｂのいずれかを省略しても、その補正精度に影響はない。
【００４３】
また、図５では、歪補正マグネット３ａ，３ｂを保持しているリング型成形品にポケットを設けて温度センサー４ａ，４Ｂを保持しているが、温度センサーの保持方法についても、図５の例に限定されるものではない。
【００４４】
以上のように実施の形態４によれば、温度センサー４ａ，４ｂを偏向ヨークの開口部側の歪補正マグネット３ａ，３ｂの近傍に設けたことにより、偏向ヨークのマグネット部の温度を高精度に検知できるので、温度変化による歪補正マグネットの磁束変化に伴って生じるコンバーゼンスおよび歪の変化を高精度に補正でき、高品質な画面特性を実現できる。
【００４５】
実施の形態５．
図６は本発明の実施の形態５の偏向ヨークにおいての回路基板の構成を示す斜視図であり、図１と同じものには同じ符号を付してある。
【００４６】
図６において、回路基板２上には、温度センサー４と、磁界調整コイル接続端子１７と、温度センサー接続端子１８と、コネクタ１９とが設けられている。
【００４７】
磁界調整コイル接続端子１７には、偏向ヨークに設けられた磁界調整コイル７（図１参照）が接続される。また、温度センサー接続端子１８には、回路基板２には設けられていない他の温度センサー（例えば図５の温度センサー４ａ，４ｂ）が接続される。
【００４８】
図７は図６の回路基板２においての配線図である。図７に示すように、回路基板２に設けられた温度センサー４、磁界調整コイル接続端子１７、および温度センサー接続端子１８は、回路基板２に形成されたプリント配線を介してコネクタ１９に接続されている。
【００４９】
このように、コネクタ１９には、偏向ヨークに設けられた全ての温度センサーおよび磁界調整コイル７が接続されている。そして、このコネクタ１９は、図２のダイナミックコンバーゼンス補正回路１０に接続される。
【００５０】
なお、図６では、偏向ヨークに設けられた２個の温度センサーと、３つの極構造の磁界調整コイルとを接続するために、コネクタ１９に１０端子のものを用いているが、コネクタ１９の端子数はこれに限定されるものではない。また、温度センサーおよび磁界調整コイル７の設置個数についても、図６の例に限定されるものではない。
【００５１】
以上のように実施の形態５によれば、偏向ヨークの全ての温度センサーおよび磁界調整コイルを回路基板２上に設けた１つのコネクタ１９に接続することにより、偏向ヨークの全ての温度センサーおよび磁界調整コイルを１つのコネクタでダイナミックコンバーゼンス補正回路に接続できるので、製造時のコストを削減することができるとともに、偏向ヨークとダイナミックコンバーゼンス回路との接続作業を省力化できる。
【００５２】
実施の形態６．
図８は本発明の実施の形態６の偏向ヨークの構成を示す斜視図であり、図１と同じものには同じ符号を付してある。
【００５３】
図８の実施の形態６の偏向ヨークでは、偏向ヨーク本体よりも電子銃側に、偏向ヨーク本体から独立したサブヨーク２０が設けられており、サブヨーク２０に磁界調整コイル７ａが設けられている。つまり、磁界調整コイルをサブヨークとして構成している。
【００５４】
なお、サブヨーク２０に構成された磁界調整コイル７の配線は、図８に示すように、磁界調整コイルコネクタ９がサブヨーク２０から磁界調整コイルリード線８を介して引き出された構造や、上記実施の形態５（図６参照）のように、回路基板２を介して１つのコネクタ１９に接続する構造など可能である。
【００５５】
また、図８では、磁界調整コイルの全ての極構造をサブヨークに設けているが、磁界調整コイルの一部の極構造をサブヨークに設けることも可能である。
例えば、２極構造および６極構造をサブヨークに設け、４極構造を偏向ヨーク本体に設けることも可能である。
【００５６】
以上のように実施の形態６によれば、磁界調整コイル７ａを偏向ヨーク本体から独立したサブヨーク２０として構成したことにより、偏向ヨーク本体に磁界調整コイルの複数の極構造の設置空間を確保できない場合にも、磁界調整コイルを設けることが可能となり、高精度な補正を実現できる。
【００５７】
【発明の効果】
以上説明したように本発明によれば、温度センサーで検知された温度に応じて磁界調整コイルで調整磁界を発生することにより、温度変化によるコンバーゼンスおよび歪の変化を高精度に補正でき、高品質な画面特性を実現できるという効果がある。
【図面の簡単な説明】
【図１】本発明の実施の形態１の偏向ヨークの構成を示す斜視図である。
【図２】本発明の実施の形態１のダイナミックコンバーゼンス補正回路の構成を示すブロック図である。
【図３】本発明の実施の形態２の偏向ヨークにおいての磁界調整コイルの構成および動作を説明する図である。
【図４】本発明の実施の形態３の偏向ヨークにおいての回路基板の構成を示す斜視図である。
【図５】本発明の実施の形態４の偏向ヨークにおいての開口部側の構成を示す斜視図である。
【図６】本発明の実施の形態５の偏向ヨークにおいての回路基板の構成を示す斜視図である。
【図７】図６の回路基板においての配線図である。
【図８】本発明の実施の形態６の偏向ヨークの構成を示す斜視図である。
【符号の説明】
１  主偏向コイル、  ２  回路基板、  ３ａ，３ｂ  歪補正マグネット、  ４，４ａ，４ｂ  温度センサー、  ５  温度センサーリード線、  ６  温度センサーコネクタ、  ７，７ａ  磁界調整コイル、  ８  磁界調整コイルリード線、  ９  磁界調整コイルコネクタ、  １０  ダイナミックコンバーゼンス補正回路、１１  メモリ、  １２  Ａ／Ｄコンバータ、  １３  ＣＰＵ、  １４  Ｄ／Ａコンバータ、  １５  駆動回路、  １６  銅箔パターン、  １７  磁界調整コイル接続端子、  １８  温度センサー接続端子、  １９  コネクタ、  ２０  サブヨーク。
【図１】
2004241335.tif 000003
【図２】
2004241335.tif 000004
【図３】
2004241335.tif 000005
【図４】
2004241335.tif 000006
【図５】
2004241335.tif 000007
【図６】
2004241335.tif 000008
【図７】
2004241335.tif 000009
【図８】
2004241335.tif 000010